(57)【要約】【課題】従来のヒートポンプ給湯機は、日中使用する全湯量分を夜間電力で沸かし貯湯して置くため、大型の貯湯タンクを必要とし、且つ湯切れや貯湯温度が低下する課題があった。【解決手段】圧縮機、凝縮器、減圧装置、空気と冷媒との熱交換を行なう蒸発器を、冷媒配管を介して順次接続したヒートポンプ回路と、給水源、貯湯タンク、循環ポンプ、前記凝縮器と熱交換する水熱交換器、切換弁、給湯弁および水使用端末を、水配管を介して接続した貯給湯回路とを備え、水使用端末における給湯使用後は、タンク貯湯運転を行ない、貯湯タンクに所定温度の湯を所定量蓄えてから運転停止する。【選択図】  図４
2005009724.tif 000002
【特許請求の範囲】
【請求項１】
圧縮機、凝縮器、減圧装置、空気と冷媒との熱交換を行なう蒸発器を、冷媒配管を介して順次接続したヒートポンプ回路と、
給水源、貯湯タンク、循環ポンプ、前記凝縮器と熱交換する水熱交換器、切換弁、給湯弁および水使用端末を、水配管を介して接続した貯給湯回路とを備え、
水使用端末における給湯使用後は、タンク貯湯運転を行なってから運転停止するヒートポンプ式給湯機。
【請求項２】
前記毎回貯湯運転機能は、水使用端末における給湯使用後の前記タンク貯湯運転において、貯湯タンクに所定温度の湯を所定量蓄えることを特徴とする請求項１記載のヒートポンプ式給湯機。
【請求項３】
前記毎回貯湯運転機能は、貯湯タンク内の湯量および湯温が所定値以上になっている場合はタンク貯湯運転を行なわずに運転停止することを特徴とする請求項１記載のヒートポンプ式給湯機。
【請求項４】
前記運転制御手段は、水使用端末における給湯使用時に水熱交換器の出湯温度が所定値以上になるまでの間は貯湯タンクの湯を使用し、水熱交換器の出湯温度が所定値以上になった後は、水熱交換器からの出湯を使用することを特徴とする請求項１記載のヒートポンプ式給湯機。
【請求項５】
前記運転制御手段は、水使用端末における給湯使用時で貯湯タンクの湯を使用中に、湯量が所定値以下になった場合は貯湯タンクからの給湯を停止し、水熱交換器からの給湯のみに切換えることを特徴とする請求項１記載のヒートポンプ式給湯機。
【発明の詳細な説明】
【０００１】
【発明の属する技術分野】
本発明は、ヒートポンプ式給湯機に関わり、特に水熱交換器で加熱した水を直接水使用端末に供給する瞬間給湯方式において、運転開始時の水熱交換器の出湯温度が低い間の給湯を行なうための貯湯タンクを備えたヒートポンプ式給湯機に好適なものである。
【０００２】
【従来の技術】
従来の給湯機には、貯湯タンクを持たずにガス等を燃焼させて、その強力な燃焼熱で瞬間的に水を沸き上げて湯を供給する燃焼式給湯機や、大容量の貯湯タンクを持ち夜間割引の安い電力を利用して夜の間に電気ヒータで加熱した大量の湯を貯湯タンクに貯蔵し、その貯蔵した湯を日中に使う電気温水器等があった。
【０００３】
さらに、最近では電気温水器に比較してエネルギー効率が良いと云われるヒートポンプ給湯機が普及し始めてきた。ヒートポンプ式給湯機は、熱源に冷媒の状態変化を利用しているので、電気ヒータよりエネルギー効率が数倍良く、またガス等を燃焼しないのでＣＯ２を排出せず地球環境にやさしい給湯機と云われている。
【０００４】
しかし、ガス等を燃焼したときのように強力な熱量がないため、電気温水器と同様に大容量の貯湯タンクを設け、夜間の安価な電力を使って夜中にヒートポンプ回路で湯を沸き上げて貯湯タンクに貯蔵し、貯蔵した湯を日中に使うものが一般的であった。
【０００５】
係る従来のヒートポンプ式給湯機としては、下記の特許文献１に開示されたものがあり、これを図４に示して説明する。
【０００６】
図４に示すヒートポンプ式給湯機は、圧縮機１０１、凝縮器１０２、減圧装置１０３、蒸発器１０４から構成されたヒートポンプ回路と、大容量の貯湯タンク１０５とを別個の装置として設けている。また、ヒートポンプ式給湯機は、貯湯タンク１０５の下部から循環ポンプ１１２を介してヒートポンプ回路の凝縮器１０２と熱交換的に配置した水熱交換器１１３に水配管を接続し、水熱交換器１１３の出口と貯湯タンク１０５の上部に温水配管を接続した貯給湯回路を設けている。
【０００７】
そして、このヒートポンプ給湯機は、夜間の安価な電力を利用してエネルギー効率の良いヒートポンプ回路を運転し、貯湯タンク１０５内の水を循環ポンプ１１２で循環させながら水熱交換器１１３で所定の湯温になるまで徐々に温め、所定の湯温に達したことを温度検知器１１４で検知してヒートポンプ回路の運転を停止するようにしている。日中、使用端末１１８で湯を使用する際にはミキシングバルブ１１７で水道水と良く混合して適当な温度に薄めて供給する。貯湯タンク１０５に貯蔵する湯の温度をできるだけ高くすることにより、ミキシングバルブ１１７により薄める水道水の量を多くし、貯湯タンク１０５から取り出す湯の量を少なくするようにしている。
【０００８】
【特許文献１】
特開平９−１２６５４７号公報
【０００９】
【発明が解決しようとする課題】
従来のヒートポンプ式給湯機は、大容量の貯湯タンクを有するため、ヒートポンプ式給湯機を設置するための充分な広さの設置スペースが必要となっていた。また、貯湯タンクの容量一杯に湯を溜めた場合を考えると、その質量は一般的なヒートポンプ式給湯機では４００ｋｇを超える重さになるので、設置場所の基礎工事を行なって充分な強度を確保しなければならず、また、アパートやマンションのベランダのような狭い場所や強度の不十分な場所に据付ることが困難であり、さらには、ヒートポンプ式給湯機を顧客の設置場所に運搬する際にもその費用や手間を多く要するものであった。
【００１０】
そして、従来のヒートポンプ式給湯機は、夜間の割引電気料金を利用するように夜中にヒートポンプ回路を運転し、高温の湯にして貯湯タンクに蓄えておき、日中はヒートポンプ回路を運転しないで、貯湯タンクに溜まっている湯を使用するという使い方をしている。このため時には貯湯タンクの湯を使いきってしまい、直ぐには沸き上げることが出来ずに湯切れを起こすことがあった。また、空気温度より高い温度の大量の湯を貯蔵しておくため、貯湯タンクの大きな表面から熱が放射されてエネルギーの無駄使いになり、それによって温度が下がる分を夜間に余裕をもって温めておく必要があった。
【００１１】
本発明の目的は、小型及び軽量で輸送性及び据付性に優れると共に、常に貯湯タンクに満杯に貯湯しておくことにより湯切れを起こすことがなくエネルギー効率に優れたヒートポンプ式給湯機を提供することにある。
【００１２】
なお、本発明のその他の目的と有利点は以下の記述から明らかにされる。
【００１３】
【課題を解決するための手段】
前記目的を達成するために、請求項１に記載の本発明では、ヒートポンプ式給湯機は、圧縮機、凝縮器、減圧装置、空気と冷媒との熱交換を行なう蒸発器を、冷媒配管を介して順次接続したヒートポンプ回路と、給水源、貯湯タンク、循環ポンプ、前記凝縮器と熱交換する水熱交換器、切換弁、給湯弁および水使用端末を、水配管を介して接続した貯給湯回路と、前記圧縮機、循環ポンプ、切換弁、給湯弁の動作を制御する運転制御手段とを備え、前記運転制御手段は、前記切換弁の切換えによって、貯湯タンク、循環ポンプ、水熱交換器に水を循環させて貯湯タンクに貯湯するタンク貯湯運転と、前記貯湯タンクから給湯弁を通して水使用端末に給湯するタンク給湯運転と、前記水熱交換器から給湯弁を通して水使用端末に給湯する水加熱給湯運転を制御すると共に、水使用端末における給湯使用後は、タンク貯湯運転を行なってから運転停止する毎回貯湯運転機能を有することを特徴とするものである。
【００１４】
上述した別の目的を達成するために、請求項２に記載の本発明では、請求項１に加え、前記毎回貯湯運転機能は貯湯タンク内の湯量および湯温が所定値以上になるまでタンク貯湯運転を行なった後運転停止することを特徴とするものである。
【００１５】
上述した別の目的を達成するために、請求項３に記載の本発明では、請求項１に加え、前記毎回貯湯運転機能は貯湯タンク内の湯量および湯温が所定値以上になっている場合はタンク貯湯運転を行なわずに運転停止することを特徴とするものである。
【００１６】
上述した別の目的を達成するために、請求項４に記載の本発明では、請求項１に加え、前記運転制御手段は水使用端末における給湯使用時に水熱交換器の出湯温度が所定値以上になるまでの間は貯湯タンクの湯を使用し、水熱交換器の出湯温度が所定値以上になった後は、水熱交換器からの出湯を使用することを特徴とするものである。
【００１７】
上述した別の目的を達成するために、請求項５に記載の本発明では、請求項１に加え、前記運転制御手段は水使用端末における給湯使用時で貯湯タンクの湯を使用中に湯量が所定値以下になった場合は貯湯タンクからの給湯を停止し、水熱交換器からの給湯のみに切換えることを特徴とするものである。
【００１８】
【発明の実施の形態】
以下、本発明の実施例を図１から図３を用いて説明する。
【００１９】
ヒートポンプ式給湯機５０は、ヒートポンプ回路３０、給湯回路４０、および運転制御手段２１を備えて構成されている。このヒートポンプ回路３０、給湯回路４０および運転制御手段２１は、小容量の貯湯タンク１０を用いて、１つの筐体５０ａ内に収納されるようになっている。これによって、ヒートポンプ回路３０および給湯回路４０が別体の筐体に収納されている従来の一般的なヒートポンプ式給湯機に比較して、輸送性、据付け性を良好なものにすることができる。
【００２０】
ヒートポンプ回路３０は、冷媒配管５ａ〜５ｄを介して圧縮機１、凝縮器２ａ、減圧装置３、蒸発器４を順次接続して構成されており、その中に冷媒が封入されている。
【００２１】
圧縮機１は、容量制御が可能で、多量の給湯を行なう際に大きな容量で運転される。ここで、圧縮機１は、ＰＷＭ制御、電圧制御（例えばＰＡＭ制御）及びこれらの組合せ制御により、低速（例えば２０００回転／分）から高速（例えば８０００回転／分）まで回転数制御されるようになっている。特に、第１水熱交換器２ｂから直接給湯する水加熱給湯運転の際（換言すれば、第２給湯回路で給湯する際）には、圧縮機１が高速で運転される。
【００２２】
水冷媒熱交換器２は凝縮器２ａ、第１水熱交換器２ｂおよび第２水熱交換器２ｃを備えて構成されている。凝縮器２ａは第１水熱交換器２ｂおよび第２水熱交換器２ｃと熱交換を行なうように構成されている。また、蒸発器４は空気と冷媒との熱交換を行なう空気冷媒熱交換器で構成されている。
【００２３】
除霜用電磁弁６は電磁コイルによる開閉弁で構成されており、圧縮機１から吐出される高温高圧の冷媒ガスを蒸発器４の入口側にバイパスして導くためのものである。除霜用電磁弁６の一端は、冷媒配管７ａを介して圧縮機１の吐出側（）凝縮器２ａの入口側）に接続され、除霜用電磁弁６の他端は、冷媒配管７ｂを介して蒸発器４の入口側（減圧装置３の出口側）に接続されている。
【００２４】
給湯回路４０は貯給湯回路４１および風呂追焚回路４２を備えて構成されている。貯給湯回路４１は、減圧弁９、貯湯タンク１０、循環ポンプ１１、逆止弁１２、第１水熱交換器２ｂ、切換弁１３、給湯弁１４および水比例弁１５が水配管を介し接続されて構成されている。給湯回路４１内には、給水源８から水が供給されて充満される。風呂追焚回路４２は、風呂循環ポンプ２０、第２水熱交換器２ｃが水配管を介し接続されて構成されている。また風呂追焚回路４２には浴槽１９の湯が循環される。なお、本発明の説明において、水は冷水と温水とを含むものであり、冷水は温水になる前の状態であり、温水は冷水が加熱された状態（湯とも言う）である。
【００２５】
運転制御手段２１は、図２に示すように、前記圧縮機１、減圧装置３、除霜用電磁弁６、循環ポンプ１１、切換弁１３、給湯弁１４、水比例弁１５、風呂循環ポンプ２０の動作を制御するものである。
【００２６】
また、運転制御手段２１は、前記圧縮機の回転数を制御し、運転開始直後には所定の高速回転数で運転するよう制御する。
【００２７】
更に、水使用端末における給湯使用後は、タンク貯湯運転を行ってから運転停止する毎回貯湯運転機能を有している。
【００２８】
ヒートポンプ式給湯機には、給湯機の温度状態を検出する温度センサを備えている。給湯回路４０側には、給湯弁１４の前後の給湯管４１ｂ、第１水熱交換器２ｂと切換弁１３との間の水配管、減圧弁９の出口側の給水管４１ａ、風呂循環ポンプ２０の出口側の水配管にそれぞれ温度センサが設けられ、運転制御手段２１に検出信号が入力されるように構成されている。また、ヒートポンプ回路３０側には、外気温度を検出する外気温度センサが設けられ、運転制御手段２１に検出信号が入力されるように構成されている。運転制御手段２１はこれらの信号に基づいて各機器を制御するものである。
【００２９】
貯給湯回路４１は、切換弁１３の切換えによって、貯湯タンク１０、循環ポンプ１１、第１水熱交換器２ｂ、切換弁１３に水を循環させて貯湯タンク１０に貯湯する貯湯回路と、給水源８の給水を受けながら貯湯タンク１０から切換弁１３および給湯弁１４を通して給湯する第１給湯回路と、給水源８の給水を受けながら水熱交換器２ｂから切換弁１３および給湯弁１４を通して給湯する第２給湯回路とを形成するように水配管を介して構成されている。風呂追焚回路４２は風呂循環ポンプ２０、第２水熱交換器２ｃに浴槽１９の湯を循環するように水配管を介して構成されている。
【００３０】
貯給湯回路４１は、給水管４１ａを給水源に接続して給水源８から給水されると共に、給湯管４１ｂを使用端末である台所蛇口１６、風呂蛇口１７、シャワー１８へ給湯されるようになっている。
【００３１】
給水管４１ａは入口側に減圧弁９を設けている。給水管４１ａは、減圧弁９の出口側で３つに分岐されて、貯湯タンク１０に直接的に接続され、第１水熱交換器２ｂに逆止弁１２を介して接続され、給湯弁１４に水比例弁１５を介して接続されている。
【００３２】
逆止弁１２は、圧力差によって→方向にのみ水を流通させるものであり、循環ポンプ１１と並列に接続され、第２給湯回路を構成する際に給水源８の冷水を、循環ポンプ１１をバイパスして導くように構成されている。
【００３３】
切換弁１３は、第１給湯回路における第１水熱交換器２ｂの出口側、第２給湯回路における貯湯タンク１０の出口側、および貯湯回路における第１水熱交換器２ｂと貯湯タンク１０との間に位置して設けられている。切換弁１３は、三方弁で構成されており、ステッピングモータの動作により流通口１３ａ，１３ｂ，１３ｃ間の連通、閉塞が行われる。流通口１３ａは貯湯タンク１０に接続され、流通口１３ｂは第１水熱交換器２ｂに接続され、流通口１３ｃは給湯弁１４ａに接続されている。
【００３４】
給湯弁１４は、給湯管４１ｂの出口側に設けられ、流量を調整して所定温度の給湯を行なうために設けられている。給湯弁１４は、二方弁で構成され、ステッピングモータの動作により流通口１４ａと１４ｂとの間の連通、閉塞および流量の調整が行われる。流通口１４ａは切換弁１３を介して貯湯タンク１０に接続されると共に、水比例弁１５を介して給水源８に接続されている。流通口１４ｂは台所蛇口１６、風呂蛇口１７およびシャワー１８に接続されている。
【００３５】
水比例弁１５は給水源８の冷水を貯湯タンク１０および第１水熱交換器２ｂをバイパスして直接、給湯弁１４の入口側に導くように給水管４１ａと給湯管４１ｂとの間に接続されている。水比例弁１５から冷水を給湯弁１４の入口側に導くことにより、給湯流量を確保しながら給湯温度を調節することができる。水比例弁１５は、二方弁で構成され、ステッピングモータの動作により弁体が移動して流通口１５ａ，１５ｂ間の連通、閉塞および流量の調整が行われる。
【００３６】
貯湯タンク１０は円筒状で縦長に形成された小容量のタンクで構成されおり、従来貯湯方式の貯湯タンクに比べ３分の１程度の小さな貯湯タンクである。
【００３７】
このような構成において、本実施例のヒートポンプ給湯機は、電気温水器に比較してエネルギー効率が３００〜５００％良いといわれるヒートポンプ回路３０を利用して、水熱交換器２ｂで焚き上げた湯を直接使用端末に供給すると共に、浴槽１９の湯を第２水熱交換器２ｃで追焚きしようとするものである。
【００３８】
次に、本ヒートポンプ給湯機の運転動作について図１の部品構成を参照にしながら、図３及び図４のフローチャートに基づいて説明する。
【００３９】
図３は、据付時の運転動作を示すフローチャートの一実施例である。ヒートポンプ給湯機５０は、製造場所から運搬されて使用者の希望する設置場所に据付られ（ステップ６０）、給水管４１ａが水道等の給水源８に接続され給水源８の元栓が開放される（ステップ６１）と、給水源８から給水が開始され（ステップ６２）、水は減圧弁９によって一定圧力に減圧調整された後、貯湯タンク１０および第１水熱交換器２ｂ並びに各配水管内に流入し満水状態になる（ステップ６３）。なお、ヒートポンプ給湯機５０の据付時の各機器は次のような初期状態に設定されている。即ち、切換弁１３は流通口１３ａと流通口１３ｂとが連通され、水比例弁１５は閉じられた状態となっている。
【００４０】
次に電源スイッチが投入されると、運転制御手段２１の制御によりヒートポンプ回路３０および貯給湯回路４１の運転が開始され、タンク貯湯運転が行なわれる（ステップ６４）。このタンク貯湯運転では、圧縮機１の運転が開始され、圧縮機１内のガス状冷媒が圧縮加熱され高温高圧の冷媒となって凝縮器２ａに送り込まれる。これによって、水冷媒熱交換器２では、凝縮器２ａの冷媒回路を流れる高温冷媒と第１水熱交換器２ｂの水回路を流れる水とが熱交換し、冷媒は放熱し、水は加熱される。放熱された冷媒は減圧装置３で減圧され、更に蒸発器４で膨脹蒸発してガス状となり再び圧縮機１に戻る。このヒートポンプ運転を続けることにより、第１水熱交換器２ｂ内を通過する水が加熱される。
【００４１】
タンク貯湯運転においては、上記ヒートポンプ運転と共に、貯給湯回路において循環ポンプ１１の運転が開始され、貯湯タンク１０の下部の通水口から、循環ポンプ１１、第１水熱交換器２ｂ、切換弁１３、貯湯タンク１０の上部の通水口１３ａへ水が循環する。これにより、水冷媒熱交換器２で加熱された温水が貯湯タンク１０の上部より貯湯されてゆき、貯湯タンク１０全体が沸き上がった状態に達すると貯湯完了と判定し（ステップ６５）、運転を停止する（ステップ６６）。
【００４２】
なお、タンク満水判定は、例えば水位センサ６７や圧力センサ等で満水状態を検知して判定を行い、貯湯完了判定は、例えばサーミスタ６８で貯湯タンク１０の上中下各部の水温を検知して判定するものである（図１には図示せず）。
【００４３】
図４は、湯水使用時の動作を示すフローチャートの一実施例である。
【００４４】
使用端末１６〜１８で蛇口が開けられ、湯が使われる（ステップ７０）と、運転制御手段２１は、圧縮機１を起動させヒートポンプ回路３０の運転を開始すると共に、給水源８、減圧弁９、逆止弁１２、第１水熱交換器２ｂ、切換弁１３、給湯弁１４、使用端末１６〜１８の水回路により水加熱給湯運転（ステップ７１）を行なう。同時に、給水源８、減圧弁９、貯湯タンク１０、切換弁１３、給湯弁１４、使用端末１６〜１８の水回路によりタンク給湯を行なう（ステップ７２）。
【００４５】
ここで、ヒートポンプ回路３０は、圧縮機１で圧縮された高温冷媒を凝縮器２ａに送り込み、第１水熱交換器２ｂ内の水を加熱するが、運転立ち上り時は凝縮器２ａに送り込まれてくる冷媒が充分に高温高圧となり切らず温度が低く、かつ水冷媒熱交換器２全体が冷えているため、第１水熱交換器２ｂ内の水を加熱する加熱能力が充分でない。時間の経過と共に冷媒は高温高圧となり、それに従って発生する凝縮熱が増加して第１水熱交換器２ｂ内の水の加熱能力が増加してゆく。
【００４６】
また、ヒートポンプ運転の加熱能力が高温安定状態に達するまでの時間は通常約５、６分掛かるため、運転制御手段２１は、運転開始直後の高温安定状態に達するまでの所定時間は、圧縮機の回転数を通常より高速回転にして運転制御し、水加熱給湯運転の立上時間を約２〜３分程度に短縮する。
【００４７】
そして、運転開始直後の所定時間（約２〜３分程度）貯湯タンクから湯を供給するタンク給湯を行なった後は、運転制御手段２１が動作して第１給湯回路によるタンク給湯を停止して、第２給湯回路による加熱給湯のみに切換えられる（ステップ７５）。即ち、第２給湯回路は、給水源８からの冷水を、第１水熱交換器２ｂを通して加熱し、切換弁１３および給湯弁１４を通して使用端末１６〜１８に供給する。
【００４８】
このように運転開始時は貯湯タンク２から過渡的に給湯し、その後は水加熱器１１から給湯するようにしているので、運転立ち上り時の加熱遅れを解消できると共に、貯湯タンク１０の容量を従来例と比較して格段に小さくできる。なお、水加熱器１１に貯溜している水の温度を出来るだけ速く上昇させて、貯湯タンク１０の湯を使用する過渡的な給湯回路を使用する時間を短縮することが貯湯タンク１０の容量を一層小さくすることになるのでヒートポンプ回路３０の能力、特に圧縮機出力を従来一般に用いられている５ｋＷ程度より３倍以上の１５ｋＷ程度に大きくすることが望ましい。
【００４９】
なお、使用端末の台所蛇口１６、風呂蛇口１７、シャワー１８で同時に出湯した場合は、同時に給水源８から同量の水が供給され、給湯タンク１０および給湯回路４０は常に満水となるように構成されている。また、この同時給湯における給湯量が極端に多い場合には、切換弁１３の弁体を中間位置に動作させて第１水熱交換器２ｂからの給湯に加えて貯湯タンク１０からの給湯も併用できるようになっている。
【００５０】
なお、運転制御手段は、貯湯タンク１０の残湯量が所定値以下になった時には、貯湯タンクからの給湯を停止し、水加熱交換器２ｂからの給湯のみにするようになっている。
【００５１】
次に、湯水使用が終了して使用端末の蛇口が閉じられる（ステップ７６）と、湯水使用直後でタンク給湯と水加熱給湯が行われている場合は、タンク給湯及び水加熱給湯の両方を停止し、タンク給湯が停止され水加熱給湯のみであれば水加熱給湯を停止する（ステップ７７）。
【００５２】
更に運転制御手段２１は、タンク給湯運転及び水加熱給湯運転を共に停止した後、必ずタンク貯湯運転を開始し（ステップ７８）、サーミスタ等によって貯湯完了を検知し貯湯完了を判定した（ステップ７９）後に運転を終了する（ステップ８０）。
【００５３】
但し、サーミスタ８３によるタンク貯湯状態の検知は、常時行われており、極めて短時間使用のため水加熱給湯運転停止後でも貯湯タンクに湯温、湯量共に貯湯完了状態とほぼ同等に残っている場合は貯湯完了と判定されタンク貯湯運転は行われない。
【００５４】
以上のように、運転制御手段２１には、あらゆる運転において目的とする運転を終了した後に、必ず貯湯完了するまでタンク貯湯運転を行なう毎回貯湯運転機能を有しているので、貯湯タンクには常に所定温度の湯が満杯になっており、運転立上がり時の湯温低下や使用途中の湯切れの心配が解消できる。
【００５５】
【発明の効果】
以上説明したように、本発明によれば、運転制御手段は、タンク貯湯運転と、タンク給湯運転と、水加熱給湯運転を制御すると共に、水使用端末による給湯使用後はタンク貯湯運転を行ってから運転停止する毎回貯湯運転機能を有しているから、貯湯タンクには常に湯が貯湯されており、貯湯タンクが大幅に小型化できると共に、運転立上がり時の湯温低下や使用途中の湯切れの心配が解消できる。
【００５６】
次の発明によれば、前記毎回貯湯運転機能は、貯湯タンクに所定温度の湯が所定量溜まるまでタンク貯湯運転を行った後運転停止するから、貯湯タンクには常に所定温度の湯が所定量蓄えられており、貯湯タンクの貯湯熱量を最大とすることができるため、貯湯タンクをより一層有効に活用できる。
【００５７】
次の発明によれば、前記毎回貯湯運転機能は、貯湯タンク内の湯量及び湯温が所定値以上になっている場合はタンク貯湯運転を行なわず運転停止するため、不要な運転・停止を行なわないで済み、ヒートポンプ回路の寿命や省電力に有利な効果を有する。
【００５８】
次の発明によれば、前記運転制御手段は、水使用端末における給湯使用時に水熱交換器の出湯温度が所定値以上になるまでの間は貯湯タンクの湯を使用し、水熱交換器の出湯温度が所定値以上になった後は、水熱交換器からの出湯を使用するため、運転開始直後の湯温低下及び貯湯タンク湯の使用量節約を図ることができる。
【００５９】
本発明によれば、前記運転制御手段は、水使用端末における給湯使用時で貯湯タンクの湯を使用中に、湯量が所定値以下になった場合は貯湯タンクからの給湯を停止し、水熱交換器からの給湯のみに切換えるため、給湯使用直後であっても貯湯タンクには急場における必要最小限の湯量が蓄えられており、急場にも対応できる極めて有効な給湯機となし得る。
【図面の簡単な説明】
【図１】本発明のヒートポンプ式給湯機における、ヒートポンプ回路、貯給湯回路、及び部品の概略構成の一実施例を示す模式図である。
【図２】本発明の運転制御手段と制御される機能部品の相関性の一実施例を示す模式図である。
【図３】本発明のヒートポンプ式給湯機における、据付時の動作を示すフローチャートである。
【図４】本発明のヒートポンプ式給湯機における、湯水使用時の動作を示すフローチャートである。
【符号の説明】
１…圧縮機、２…水冷媒熱交換器、２ａ…凝縮器、２ｂ…第１水熱交換器、２ｃ…第２水熱交換器、３…減圧装置、４…蒸発器、５ａ，５ｂ，５ｃ，５ｄ…冷媒配管、６…除霜用電磁弁、７ａ，７ｂ…冷媒配管、８…給水源、９…減圧弁、１０…貯湯タンク、１１…循環ポンプ、１２…逆止弁、１３…切換弁、１３ａ，１３ｂ，１３ｃ…流通口、１４…給湯弁、１４ａ，１４ｂ…流通口、１５…水比例弁、１６…台所蛇口、１７…風呂蛇口、１８…シャワー、１９…浴槽、２０…風呂循環ポンプ、２１…運転制御手段、３０…ヒートポンプ回路、４０…給湯回路、４１…貯給湯回路、４１ａ…給水管、４２ｂ…給湯管、５０…給湯機、５０ａ…筐体。
【図１】
2005009724.tif 000003
【図２】
2005009724.tif 000004
【図３】
2005009724.tif 000005
【図４】
2005009724.tif 000006